(57)【要約】【課題】動く標的を有し、動体視力や、予測能力の訓練にも適したソフトエアガン用スイングターゲット装置を提供する。【解決手段】ソフトエアガン用のスイングターゲット装置として、本体１１に揺動可能に設けられ、かつまた弾丸の命中により倒れるように設けられた起倒可能な可動ターゲット１７をその一部に有している可動アーム１２を具備し、弾丸の命中により可動ターゲット１７が倒れると初期位置から作動位置へ移動する連絡部材２０の移動に連動して上記可動アーム１２の揺動回路を遮断する遮断スイッチ２１を具備した構成を有する。【選択図】          図１
2009165561.tif 000002
【特許請求の範囲】
【請求項１】
ソフトエアガン用のスイングターゲット装置であって、
本体に揺動可能に設けられ、弾丸の命中により倒れるように設けられた起倒可能な可動ターゲットをその一部に有しているアーム部材と、
弾丸の命中により可動ターゲットが倒れることで初期位置から作動位置へ移動する連絡部材及び連絡部材の移動に連動して上記アーム部材の揺動回路を遮断する遮断スイッチ
を具備したソフトエアガン用スイングターゲット装置。
【請求項２】
アーム部材は、本体に、左右へ揺れ動くように下部にて軸支されている可動アームと、可動アームに対して長手方向へ移動可能に設けられている連絡部材から構成されており、可動ターゲットは、後方へ倒れることで連絡部材が上方へ移動するように、可動アームの上端と連絡部材の上端に軸支されている請求項１記載のソフトエアガン用スイングターゲット装置。
【請求項３】
起倒可能な可動ターゲットはアーム部材側に対して着脱可能であり、サイズや形態の異なるものを交換して使用可能に構成されている請求項１記載のソフトエアガン用スイングターゲット装置。
【請求項４】
連絡部材を作動位置から初期位置へ移動させるために、本体にリセット部材を具備し、リセット部材は、リセット操作により起動する動力機構により作動し、連絡部材を弾丸命中時とは逆方向に移動させて可動ターゲットを起こし、かつ、連絡部材を遮断時とは逆方向に移動させてリセットスイッチを投入するように構成されている請求項１記載のソフトエアガン用スイングターゲット装置。
【請求項５】
可動ターゲットに向けて発射された弾丸を回収するために、本体及び起倒可能な可動ターゲットを有しているアーム部材を囲んで配置される回収ボックスを併用する請求項１記載のソフトエアガン用スイングターゲット装置。
【請求項６】
可動アームのスイング速度を高速、低速に変化させる手段としてギヤ・モーターユニットの抵抗を変える切り換え部を有している請求項１記載のソフトエアガン用スイングターゲット装置。
【発明の詳細な説明】
【技術分野】
【０００１】
本発明は、ソフトエアガン用のスイングターゲット装置に関するものである。
【背景技術】
【０００２】
主として直径６ミリのプラスチック弾を使用するソフトエアガンは、遊戯銃として提供され、また使用されているものではあるが、ターゲットとして普及しているものがなく、殆どの場合各自が工夫して作成している状況である。標的一般としても、例えば実銃を対象とする射的台のような装置はあるが、本格的過ぎてエアソフトガンには適当ではない。しかし出願例には次の例を見ることができる。
【０００３】
その一つは実開平６−５５０９７号の標的装置である。同号の装置はシューティング・ゲームセンターの標的として反復使用することを目的としたもので、競技者の技量に応じて難度を上げるように、最大径の的から最小径の的まで次第に小さくなるように、一列に配置した構成を有しているが面白味がなく、リセットに手間がかかる。また、実開平６−８０４７９号の標的装置は、標的に命中後、次の標的が回転して自動的にセットされるという構成を有しており、リセットは容易であるが３個の標的盤を等角度で配置する必要があり、従って３個の標的盤を回転可能に配置するスペースも必要になる。特にこれらの例に見るように従来の標的装置は静止した標的しか備えておらず、その意味でも単純であり難易度が高いとはいえない。
【０００４】
【特許文献１】実開平６−５５０９７号
【特許文献２】実開平６−８０４７９号
【発明の開示】
【発明が解決しようとする課題】
【０００５】
本発明は前記の点に着目してなされたもので、その課題は、動く標的を有する、ソフトエアガン用スイングターゲット装置を提供することである。また、本発明の他の課題は、動体視力や、予測能力の訓練にも適したソフトエアガン用スイングターゲット装置を提供することである。
【課題を解決するための手段】
【０００６】
前記の課題を解決するため、本発明は、ソフトエアガン用のスイングターゲット装置として、本体に揺動可能に設けられ、弾丸の命中により倒れるように設けられた起倒可能な可動ターゲットをその一部に有しているアーム部材と、
弾丸の命中により可動ターゲットが倒れることで初期位置から作動位置へ移動する連絡部材及び連絡部材の移動に連動して上記アーム部材の揺動回路を遮断する遮断スイッチ
を具備するものとするという手段を講じたものである（請求項１）。
【０００７】
本発明に係るスイングターゲット装置は、可動ターゲットがスイングするように動く標的であることを特徴とするもので、これによって動く標的を捉える動体視力や標的位置を予測する能力が求められ、また養われることにもなる。スイングとは揺れ動くような動作と理解して良いが、それだけに限定されるものではなく、より複雑に動く標的を備えた装置であっても良い。また、可動アームのスイング動作の速度を高速、低速に変化させる手段として、例えばギヤ・モーターユニットの抵抗を変える切り換え部を有することが望ましい（請求項６）。
【０００８】
このような本発明の装置は、上記の通り可動ターゲットを有しているアーム部材と、弾丸の命中により移動する連絡部材と、アーム部材の揺動回路を遮断する遮断スイッチとを具備する。アーム部材は揺動して標的に適切な動きを与える。アーム部材には可動ターゲットが起倒可能に設けられるが、可動ターゲットは倒れることにより弾丸が命中したことを知らせる手段でもある。
【０００９】
このような可動アームの一つの望ましい形態は、本体に、左右へ揺れ動くように下部にて軸支されている可動アームと、可動アームに対して長手方向へ移動可能に設けられている連絡部材から構成され、可動ターゲットは、後方へ倒れることで連絡部材が上方へ移動するように、可動アームの上端と連絡部材の上端に軸支されている構成である（請求項２）。起倒可能な可動ターゲットはアーム部材側に対して着脱可能に設け、サイズや形態の異なるものを交換して使用できることが望ましい（請求項３）。
【００１０】
上記連絡部材は、弾丸の命中により可動ターゲットが倒れると初期位置から作動位置へ移動する。つまり、弾丸の命中を遮断スイッチへ伝達するための目的と機能を有する。また、リセットの際には逆の動作を行い、可動ターゲットを起こす目的と機能を有するものでもある。
【００１１】
また本発明の装置において、上記連絡部材の移動に連動して上記アーム部材の揺動回路を遮断する遮断スイッチは、可動ターゲットへの弾丸命中に伴い、アーム部材の揺動を停止させるために設けられている。従って、アーム部材は上記揺動回路に含まれるモーターなどの、動力機構によって揺動動作するものと理解することができる。
【００１２】
連絡部材を作動位置から初期位置へ移動させるために、本体にリセット部材を具備し、リセット部材は、リセット操作により起動する動力機構により作動し、連絡部材を弾丸命中時とは逆方向に移動させて倒れている可動ターゲットを起こし、かつ、連絡部材を遮断時とは逆方向に移動させてリセットスイッチを投入することは望ましい構成である（請求項４）。リセット操作を行なうものは、本発明の装置本体に設置されていても良いが、弾丸が本発明の装置から離れた地点にて発射されることを考慮すると、遠隔操作式のコントローラー即ちリモコンを使用できることが望まれる。
【００１３】
本発明の装置は上記の構成を有するものであるが、それに止まらず可動ターゲットに向けて発射された弾丸を回収するために、本体及び起倒可能な可動ターゲットを有しているアーム部材を囲んで配置される回収ボックスを併用する構成を取ることができる（請求項５）。回収ボックスを含むことにより、使用者は弾丸の散乱や回収を気に掛ける必要がなく、射撃に集中することができる。
【発明の効果】
【００１４】
本発明は以上のように構成されかつ作用するものであるから、動く標的を有しかつ弾丸の命中を明確に把握することができ、リセットの容易なソフトエアガン用スイングターゲット装置を提供することができる。また、本発明によれば、動体視力や、予測能力の訓練にも適した手軽なソフトエアガン用スイングターゲット装置を提供することができる。
【発明を実施するための最良の形態】
【００１５】
以下図示の実施形態を参照して本発明をより詳細に説明する。図１は本発明に係るソフトエアガン用スイングターゲット装置１０の一例を示すもので、１１は扁平な箱形の本体を示しており、その上面にアーム部材を構成する可動アーム１２が立設され、かつ、左右へ揺れ動くように設けられている。例示した可動アーム１２は下部にて軸支され、図４に詳細に示したように揺動回路に含まれるギヤ・モーターユニット１３を有する動力機構１４とクランク機構１５により連繋した軸１６に取り付けられることにより、左右方向へ揺動可能に設けられている。
【００１６】
なお、上記の動力機構１４はギヤ・モーターユニット１３によって駆動される大小のプーリー１４ａ、１４ｂ及びベルト１４ｃと（図２、図３参照）、大プーリー１４ａからの出力軸１４ｄに取り付けられた回転盤１４ｅを有している。回転盤１４ｅには支軸１５ａによりクランク機構１５を構成している連接棒１５ｂの一端が軸支されており、その他端は支軸１５ｃによりクランクアーム１５ｄの揺動端に軸支されている（図４参照）。
【００１７】
可動アーム１２は、弾丸の命中により倒れるように設けられた起倒可能な可動ターゲット１７をその一部に有している。例示されているアーム部材は、上記可動アーム１２に対して長手方向へ移動可能に設けられた連絡部材２０を内部に備えている。可動アーム１２は、その上端に設けられた軸支片１２ａを有し、この軸支片１２ａは可動アーム１２の上端部に主支軸１８により回転して後方へ倒れるように軸支されているとともに、可動アーム１２の内部に上下動可能に組み込まれている連絡部材２０とも前方上部の可動支軸１９にて軸支されており、可動ターゲット１７と連動するように設けられている（図５Ａ、Ｂ参照）。
【００１８】
図６Ａに詳細に示したように起倒可能な可動ターゲット１７は可動アーム１２の側に対して着脱可能に形成されている。即ち、可動ターゲット１７は裏面の下部に嵌合部１７ａを有しており、この嵌合部１７ａはその上端部が上記軸支片１２ａと着脱可能に嵌合する構造になっている。よって、可動ターゲット１７としてサイズや形態の異なる複数種のものを交換使用することができる。
【００１９】
可動ターゲット１７への弾丸命中に伴い、上記連絡部材２０の移動に連動して可動アーム１２の揺動回路を遮断する、遮断スイッチ２１が可動アーム１２の揺動を停止させるために設けられている。例示した遮断スイッチ２１は、可動アーム１２の内部にて上下動可能に組み込まれている連絡部材２０の上下動によりオン・オフされるもので、連絡部材に配置された正負１対よりなるスイッチ片２２と、連絡部材２０が初期位置（図示の例では下降位置）にあるときに、スイッチ片２２を加圧し、端子２２ａ、２２ｂを接触させる位置にて、可動アーム１２に設けられている凸状の加圧部２３及び連絡部材２０が作動位置（同じく図示の例では上昇位置）にあるときに、加圧部２３をスイッチ片２２の端子２２ａ、２２ｂが接触しない位置に退避させる凹状の非加圧部２４を備えている。図６Ｂ、Ｃ参照。
【００２０】
本発明の装置１０は、連絡部材２０を作動位置から初期位置へ移動させるために作動するリセット部材２５を具備している。リセット部材２５は、リセット操作により起動する第２の動力機構２６により作動し、連絡部材２０を弾丸命中時とは逆方向に移動させ、可動ターゲット１７を起こす機能を持っており、これによって命中後の可動ターゲット１７を再度所定の状態に起立させるように機能する。
【００２１】
例示したリセット部材２５は一端部の支点２７の周りに回転可能に本体側に軸支され、他端部の係合部２８にて、連絡部材２０の下端部に設けられている係合相手部２９と係合可能に設けられており、連絡部材２０を遮断時とは逆方向に移動させてリセットスイッチ３０を投入するとともに連絡部材２０を垂直に起立した状態にリセットするものである。リセットスイッチ３０は、遮断スイッチ２１と同様に正負１対よりなるスイッチ片２２′を有している。なお上記係合相手部２９は、前後方向の軸部２９ａと、その後端に上向きに突設された係合片２９ｂとを備えている（図５参照）。
【００２２】
リセット部材２５は可動アーム１２とともに揺動する連絡部材２０がどの揺動位置にある場合でも、係合片２９ｂとの間にて軸部２９ａに当接して、係合相手部２９と係合可能であるように揺動範囲をカバーする大きさで下方に膨らんだガイド面３１を有している。また、リセット部材２５は支点２７と係合部２８の間に設けられている回転カム３２によってリセットに必要なストローク上下往復回転するように設けられている。上記回転カム３２は、ギヤ・モーターユニット１３′と減速ギヤ１３ａ、１３ｂを含む第２の動力機構２６の出力によって回転する。
【００２３】
回転カム３２の１回転の間にリセットスイッチ３０を切り替え、スイングターゲット装置１０をリセットするために、連絡部材２０の初期位置ではリセットスイッチ３０をオフ状態にしておくカム凹部３３を有するとともに、リセット信号による回転の後リセットスイッチ３０をオンにしてリセット部材２５を停止させる凸状の加圧部３４を有している。なお、カム凹部３３は傾斜面３３ａを両端に有している。リセット部材２５の上下往復回転のために、回転カム３２には係合軸３５が設けられ、また、係合軸３５が係合、摺動する長穴状のスライド部３６がリセット部材２５に形成されている。
【００２４】
各図において、３７は電源電池、３８はメインスイッチを示しており、本装置１０を作動状態にする。メインスイッチ３８はギヤ・モーターユニット１３の抵抗を変える切り換え部を有しており、可動アームのスイング速度を高速、低速に変化させることができる。また、３９はリモコンを示しており、リセット操作手段として操作ボタン３９ａを有し、本装置１０に装備された制御部４０の赤外線受光部４１へ向けて赤外線を発射する機能を有している。
【００２５】
さらに、図示の例においては可動ターゲット１７に向けて発射された弾丸Ｂを回収するために、本体１１及び起倒可能な可動ターゲット１７を有している可動アーム１２を囲んで配置される回収ボックス４２を併用するものである。図３に示すように、回収ボックス４２は額縁状の正面開口を有する箱型のもので、例えば線材を加工して箱の外形を作り、それに弾力性のある布状のカバーを被せた構造を有し、開口４３の縁には弾丸Ｂの跳ね出るのを防止するフランジ４４が設けられている。
【００２６】
このような構成を有する本発明のソフトエアガン用スイングターゲット装置１０を使用するには、まずメインスイッチ３８をオンとし、リモコン３９を操作して可動アーム１２を揺動させる。ここで本装置１０に向けて発射された弾丸Ｂが、左右に揺動している可動ターゲット１７に命中し、それが後へ倒れると連絡部材２０が初期位置（図示の例では下降位置）から引き上げられ、遮断スイッチ２１が上昇して凹み部２４に移動することによりオフとなり、動力機構１４が停止することとなる。図５の状態であり、連絡部材２０は作動位置（図示の例では上昇位置）に移動する。従って、可動ターゲット１７が倒れ、かつまた、可動アーム１２が停止したことにより、弾丸Ｂの命中したことが分かる。
【００２７】
弾丸命中により作動を停止した本装置１０を再度作動させるには、リモコン３９を操作することにより行なう。リモコン３９の操作ボタン３９ａを押すと動力機構２６が作動を開始し、図８Ａに示された連絡部材２０の作動位置（図示の例では上昇位置）に対応してリセットスイッチ３０をオフとする位置にある、リセット部材２５が同位置から先端が下がる方向へ回転し、それに伴って係合部２８が連絡部材２０に設けられている係合相手部２９を押し下げることになり、その結果、連絡部材２０を初期位置（図示の例では下降位置）に引き下すことになる。図８Ｂの状態である。
【００２８】
従って、本装置１０は元の状態に戻り、使用を再開し、可動ターゲット１７を揺動させることができ、この操作を繰り返すものである。プレイの間、本装置１０に向かって発射され開口４３に入った弾丸Ｂは、回収ボックス４２にほぼ捕集されてその内部に溜まるので、周囲に散乱することがない。
【図面の簡単な説明】
【００２９】
【図１】本発明に係るソフトエアガン用スイングターゲット装置の一例を示す斜視図である。
【図２】同上の装置の左右方向切断線に沿う断面図である。
【図３】同じく前後方向切断線に沿う断面図である。
【図４】本発明における可動アームの作動を示す正面説明図である。
【図５】同じく可動アームの作動を説明するもので、Ａは側面図、Ｂは正面図である。
【図６】同じく可動アーム関連部分に関するもので、Ａは可動ターゲットとの関係を示す説明図、Ｂは初期状態、Ｃは作動状態における遮断スイッチを示す説明図である。
【図７】リセット機構部分を示す側面図である。
【図８】リセット機構の作動を説明するもので、Ａは作動状態、Ｂは初期状態を示しており、Ｃはリセット機構に用いたカムの正面図である。
【符号の説明】
【００３０】
１０  ソフトエアガン用スイングターゲット装置
１１  本体
１２  可動アーム
１３、１３′  ギヤ・モーターユニット
１４、２６  動力機構
１５  クランク機構
１６  軸
１７  可動ターゲット
１８  主支軸
１９  可動支軸
２０  連絡部材
２１  遮断スイッチ
２２、２２′  スイッチ片
２３  加圧部
２４  凹み部
２５  リセット部材
２７  支点
２８  係合部
２９  係合相手部
３０  リセットスイッチ
３１  ガイド面
３２  回転カム
３３  カム凹部
３４  加圧部
３５  係合軸
３６  スライド部
３７  電源電池
３８  メインスイッチ
３９  リモコン
４０  制御部
４１  赤外線受光部
４２  回収ボックス
４３  開口
４４  フランジ
【図１】
2009165561.tif 000003
【図２】
2009165561.tif 000004
【図３】
2009165561.tif 000005
【図４】
2009165561.tif 000006
【図５】
2009165561.tif 000007
【図６】
2009165561.tif 000008
【図７】
2009165561.tif 000009
【図８】
2009165561.tif 000010